(57)【要約】      （修正有）【課題】フレキシブルで可搬性の高いＲＦコイルを提供する。【解決手段】ＲＦコイルは、第一のコイル２０１と、棒状の第一および第二の躯体２５１、２５２とを有する。第一のコイルは、高周波信号を受信する導体製の第一のループ２１１と、第一のループに直列に挿入され、第一のループが受信した信号を検出する第一の信号検出部２２１とを備えている。第一の躯体と第二の躯体は、短軸方向に間隔をあけて配置され、第一の信号検出部は、第一の躯体上に搭載され、第一のループの第一の信号検出部と向かいあう部分は、第二の躯体上に搭載されている。第一のループは、変形可能であり、第一の躯体と第二の躯体の間隔は、第一のループの変形を伴いながら可変である。【選択図】図８
2020124345.tif 000002
【特許請求の範囲】
【請求項１】
第一のコイルと、棒状の第一および第二の躯体とを有し、
前記第一のコイルは、高周波信号を受信する導体製の第一のループと、前記第一のループに直列に挿入され、前記第一のループが受信した信号を検出する第一の信号検出部とを備え、
前記第一の躯体と第二の躯体は、短軸方向に間隔をあけて配置され、前記第一の信号検出部は、前記第一の躯体上に搭載され、前記第一のループの前記第一の信号検出部と向かいあう部分は、前記第二の躯体上に搭載され、
前記第一のループは、変形可能であり、前記第一の躯体と第二の躯体の間隔は、前記第一のループの変形を伴いながら可変であることを特徴とする高周波コイル。
【請求項２】
並べて配置された複数のコイルと、前記複数のコイルの一部を支持する棒状の複数の躯体とを有し、
複数の前記コイルはそれぞれ、高周波信号を受信する導体製のループと、前記ループに直列に挿入され、前記ループが受信した信号を検出する信号検出部とを備え、
前記複数の躯体は、当該躯体の短軸方向に、間隔をあけて並べて配置され、
複数の前記ループにそれぞれ挿入されている前記信号検出部は、前記躯体の短軸方向に、間隔をあけて並べて配置され、それぞれの前記信号検出部は、前記躯体のいずれかによって支持され、
前記ループは、変形可能であり、前記複数の躯体の間隔は、前記ループの変形を伴いながら可変であることを特徴とする高周波コイル。
【請求項３】
請求項２記載の高周波コイルであって、
全てのコイルの前記信号検出部と前記ループの一部とは、異なる隣り合った前記躯体にそれぞれ支持され、
前記ループは前記躯体の距離によってループを半分に折り曲げ可能なことを特徴とする高周波コイル。
【請求項４】
請求項１に記載の高周波コイルであって、第二のコイルと、前記第二の躯体と長軸が向かいあうように配置された、棒状の第三の躯体とをさらに有し、
前記第二のコイルは、高周波信号を受信する導体製の第二のループと、前記第二のループに直列に挿入され、前記第二のループが受信した信号を検出する第二の信号検出部とを備え、
前記第二の信号検出部は、前記第二の躯体および前記第三の躯体のいずれか一方に搭載され、前記第二のループの前記第二の信号検出部と向かいあう部分は、前記第二の躯体および第三の躯体のうち、前記第二の信号検出部が搭載されていない方に搭載され、
前記第二のループは、変形可能であり、前記第二の躯体と第三の躯体の間隔は、前記第二のループの変形を伴いながら可変であることを特徴とする高周波コイル。
【請求項５】
請求項１記載の高周波コイルであって、第三のコイルをさらに有し、
前記第三のコイルは、高周波信号を受信する導体製の第三のループと、前記第三のループに直列に挿入され、前記第三のループが受信した信号を検出する第三の信号検出部とを備え、
前記第三の信号検出部は、前記第一の躯体および前記第二の躯体のうちの一方に搭載され、前記第三のループの前記第三の信号検出部と向かいあう部分は、前記第一および前記第二の躯体のうち第三の信号検出部が搭載されていない方に搭載されていることを特徴とする多チャンネルの高周波コイル。
【請求項６】
請求項４記載の高周波コイルであって、第三のコイルと、第四のコイルとをさらに有し、
前記第三のコイルは、高周波信号を受信する導体製の第三のループと、前記第三のループに直列に挿入され、前記第三のループが受信した信号を検出する第三の信号検出部とを備え、
前記第四のコイルは、高周波信号を受信する導体製の第四のループと、前記第四のループに直列に挿入され、前記第四のループが受信した信号を検出する第四の信号検出部とを備え、
前記第三の信号検出部は、前記第一の躯体および前記第二の躯体のうちの一方に搭載され、前記第三のループの前記第三の信号検出部と向かいあう部分は、前記第一および前記第二の躯体のうち第三の信号検出部が搭載されていない方に搭載され、
前記第四の信号検出部は、前記第一の躯体および前記第二の躯体のうちの一方に搭載され、前記第四のループの前記第四の信号検出部と向かいあう部分は、前記第一および前記第二の躯体のうち第四の信号検出部が搭載されていない方に搭載されていることを特徴とする多チャンネルの高周波コイル。
【請求項７】
請求項４に記載の高周波コイルであって、前記第一のループと第二のループは、互いの磁気結合を除去する構造または回路を備えていることを特徴とする高周波コイル。
【請求項８】
請求項７に記載の高周波コイルであって、前記第一のループと第二のループは、前記磁気結合を除去するために、一部が重なり合うように配置されていることを特徴とする高周波コイル。
【請求項９】
請求項７に記載の高周波コイルであって、前記第一のループおよび第二のループには、前記磁気結合を除去するための回路が直列に挿入され、前記回路は、前記第二の躯体に搭載されていることを特徴とする高周波コイル。
【請求項１０】
請求項１に記載の高周波コイルであって、
前記第一のループは、少なくとも前記第一および第二の躯体に搭載されていない部分が、屈曲可能な構造であることを特徴とする高周波コイル。
【請求項１１】
請求項４に記載の高周波コイルであって、
前記第一、第二および第二の躯体を引き寄せて隣接させる引き寄せ機構をさらに有することを特徴とする高周波コイル。
【請求項１２】
請求項１１に記載の高周波コイルであって、
前記引き寄せ機構は、第一および第二のループの少なくとも一部を構成する、形状記憶効果を有する導体であることを特徴とする高周波コイル。
【請求項１３】
請求項１１に記載の高周波コイルであって、
前記引き寄せ機構は、前記第一および第二の躯体を貫通するように配置された紐状の部材を含むことを特徴とする高周波コイル。
【請求項１４】
請求項４に記載の高周波コイルであって、
前記第一および第二のコイルは、前記第二の躯体上での距離を変化可能に前記第二の躯体に搭載され、前記第二の躯体と第一の躯体との距離および第二の躯体と第三の躯体との距離の少なくとも一方を変化させることができることを特徴とする高周波コイル。
【請求項１５】
請求項１に記載の高周波コイルであって、
前記第一および第二の躯体は、長軸方向に湾曲可能な部材であることを特徴とする高周波コイル。
【請求項１６】
被検体からの核磁気共鳴信号を受信する受信コイルとして、請求項１ないし１５のいずれか１項に記載の高周波コイルを用いることを特徴とする磁気共鳴撮像装置。
【発明の詳細な説明】
【技術分野】
【０００１】
本発明は、ＭＲＩ（Magnetic resonance imaging:磁気共鳴撮像）装置に用いられる高周波コイルに関する。
【背景技術】
【０００２】
ＭＲＩ装置には、被写体に高周波磁場を照射し、被写体から発生する核磁気共鳴信号を受信する装置として、高周波コイル（以下、ＲＦ（Radio Frequency）コイルという）が備えられている。照射用のＲＦコイルと受信用のＲＦコイルは、高画質化のために別々のコイルが用いられる。
【０００３】
受信用ＲＦコイル（以下受信ＲＦコイルという）は、高ＳＮＲ、高速撮像を実現するため現在では３２〜１２８個（ｃｈ）のコイルで構成された多チャンネルコイルが普及している。受信用ＲＦコイルの各コイルは、導体からなるコイルエレメントと、コイルの共振周波数を調整するキャパシタと、コイルに流れた電流を検出する信号検出回路と、ＲＦコイルの共振周波数を変える周波数調整回路と、他のコイルとの磁気結合を防ぐ磁気結合防止回路とを備えて構成される。周波数調整回路が、受信ＲＦコイルの共振周波数を、核磁気共鳴信号と同じ周波数に調整することにより、受信ＲＦコイルは、磁気共鳴信号の取得が可能になる。信号検出回路、磁気結合防止回路、および、周波数調整回路は、インダクタ、キャパシタ、ダイオード等の電子部品により構成されている。
【０００４】
受信ＲＦコイルは、高い感度を得るために被写体に近接して配置することが望ましい。そのため、受信ＲＦコイルは、被検者の体の部位に合わせて複数の形状が用意されている。受信ＲＦコイルは、被検者の部位に合わせた形状の樹脂製筐体の内部に配置されるリジッドな形状のタイプと、樹脂製筐体に加え一部フレキシブルな形状を持たせ被検者の形状に任意に合わせられるフレキシブルな形状のタイプがある。操作者は、被検者の撮像部位に応じて最適なＲＦコイルを選択し、撮像部位に設置する。
【０００５】
フレキシブルな形状のタイプの受信ＲＦコイルのうち、信号検出回路等の電子部品を含む回路を覆う部分は、外部からの衝撃による電子部品の破壊を防ぐために、この部位は比較的堅くて重い樹脂製筐体によって保護される。コイルエレメントはフレキシブル性を奏でるために樹脂製筐体もしくは保護カバーの外に設置されるが、金属疲労により導体が断線するのを防ぐため、スポンジで覆われ、保護される。
【０００６】
特許文献１には、コイルエレメントの導体として同軸ケーブルを用いることによって、受信ＲＦコイルを構成する部品点数を減らし、柔軟性を持たせる技術が提案されている。
【先行技術文献】
【特許文献】
【０００７】
【特許文献１】特許第４８２００２２号公報
【発明の概要】
【発明が解決しようとする課題】
【０００８】
従来の受信ＲＦコイルの樹脂製筐体の部分は、比較的重いことに加え、柔軟性がほとんどない。筐体内でコイルエレメントの導体を覆うスポンジも、受信ＲＦコイルの柔軟性を低下させている。
【０００９】
また、多チャンネルコイルは、コイルごとに信号検出回路と周波数調整回路と磁気結合防止回路が必要であるため、多くの電子部品が実装され、すべての電子部品が樹脂製筐体で覆われるため、受信ＲＦコイルの重量が一般的に２〜５ｋｇ程度に達する。また、受信ＲＦコイルの筐体は変形せず、被検者の体の撮像部位を覆うために、予め設計された立体的な形状となる。そのため、受信ＲＦコイルは、可搬性が悪く、また、収納時に占有する容積が大きく、大きな収納場所が必要となる。特に、腹部コイルなどの大きな撮像部位の受信ＲＦコイルは、大きく重いため、腹部用の受信ＲＦコイルを操作者が両手に抱えて運び、腹部に設置する作業は、負担が大きい。
【００１０】
特許文献１のように、コイルエレメント導体として同軸ケーブルを用いた場合でも、周波数調整回路は用いる必要があるため、受信ＲＦコイルには電子部品が数多く残り、保護カバーが必要である。そのため、軽量、柔軟性の向上には限度がある。
【００１１】
また、腹部コイルなどの大きな撮像部位の受信ＲＦコイルは、軽量化できたとしても、そもそも大きいため取り扱いが難しく、収納性、可搬性等の使い勝手は改善されない。
【００１２】
本発明の目的は、フレキシブルで可搬性の高いＲＦコイルを提供することにある。
ことにある。
【課題を解決するための手段】
【００１３】
上記目的を達成するため、第一のコイルと、棒状の第一および第二の躯体とを有する。第一のコイルは、高周波信号を受信する導体製の第一のループと、第一のループに直列に挿入され、第一のループが受信した信号を検出する第一の信号検出部とを備えている。第一の躯体と第二の躯体は、短軸方向に間隔をあけて、即ち長軸が向かい合うように配置され、第一の信号検出部は、第一の躯体上に搭載され、第一のループの第一の信号検出部と向かいあう部分は、第二の躯体上に搭載されている。第一のループは、変形可能であり、第一の躯体と第二の躯体の間隔は、第一のループの変形を伴いながら可変である。
【発明の効果】
【００１４】
本発明によれば、第一の躯体と第二の躯体を近づけるように折り畳むことができるフレキシブルで可搬性の高いＲＦコイルを提供することができる。
【図面の簡単な説明】
【００１５】
【図１】実施形態のＭＲＩ装置の一例の斜視図。
【図２】実施形態のＭＲＩ装置の構造を示すブロック図。
【図３】実施形態の受信ＲＦコイルの（ａ）開いた状態の斜視図、（ｂ）折りたたんだ状態の斜視図、（ｃ）折りたたんだ状態のループ電流を説明する図。
【図４】実施形態の受信ＲＦコイルの構造を示すブロック図。
【図５】実施形態の受信ＲＦコイルの回路図。
【図６】（ａ）実施形態の受信ＲＦコイルを構成するループを同軸ケーブルで構成した例を示すブロック図、（ｂ）は（ａ）の同軸ケーブルの等価回路図。
【図７】実施形態の受信ＲＦコイルに引き寄せ機構として紐７１を貫通させた構成を示す斜視図。
【図８】実施形態の第一の変形例の受信ＲＦコイルのブロック図。
【図９】実施形態の第二の変形例の受信ＲＦコイルのブロック図。
【図１０】実施形態の第三の変形例の受信ＲＦコイルのブロック図。
【図１１】実施形態の第四の変形例の受信ＲＦコイルのブロック図。
【発明を実施するための形態】
【００１６】
以下図面を用いて、本発明の一実施形態の高周波コイルおよび高周波コイルを用いたＭＲＩ装置について説明する。尚、本発明は、下記実施形態に限定されるものではなく、本発明の目的の範囲内で自由に設計変更し得るものであり、本発明はそれらの全てを包摂するものである。
【００１７】
＜ＭＲＩ装置の全体構成＞
本実施形態のＭＲＩ装置１００の全体構造について図１および図２を用いて説明する。
【００１８】
図１は、ＭＲＩ装置の一例に係る外観を示し、図２は、ＭＲＩ装置の全体の概略構造を示している。
【００１９】
図１および図２に示すように、ＭＲＩ装置１００は、静磁場磁石１１０、傾斜磁場コイル１３１、送信ＲＦコイル１５１、受信ＲＦコイル１６１、傾斜磁場電源１３２、シムコイル１２１、シム電源１２２、ＲＦ磁場発生器１５２、受信器１６２、磁気結合防止回路駆動装置１８０、計算機１７０、シーケンサ１４０、及び表示装置１７１を備える。なお、１０２は、撮像空間に被検体（被写体）１０３の撮像部位を載置するテーブルである。
【００２０】
静磁場磁石１００は、撮像空間に静磁場を発生する。図１は、ソレノイドコイルによって水平方向の静磁場を生成するトンネル型磁石を静磁場磁石１１０として用いた外観を示しているが、垂直方向に静磁場を生成する静磁場磁石１００を用いてもよい。
【００２１】
傾斜磁場コイル１３１は、傾斜磁場電源１３２に接続され、撮像空間に傾斜磁場を発生する。シムコイル１２１は、シム電源１２２に接続され、静磁場の均一度を調整する。
【００２２】
送信ＲＦコイル１５１は、ＲＦ磁場発生器１５２に接続され、被写体１０３にＲＦ磁場を照射（送信）する。ＲＦ磁場の周波数は、撮像を所望する被検体１０３の核種の原子核（プロトン等）の核磁気を励起する周波数に設定される。送信ＲＦコイル１５１としては、どのような構造のものを用いてもよく、例えば鳥かご型のＲＦコイルを用いることができる。
【００２３】
受信ＲＦコイル１６１は、受信器１６２に接続され、被写体１０３からの核磁気共鳴信号を受信する。ここで、本実施形態に係る受信ＲＦコイル１６１として、複数のコイルユニットからなる多チャンネルＲＦコイル（以下、アレイコイルという）を用いる。以下の説明において、アレイコイルを構成するコイルの数をチャンネル数と呼ぶ。
【００２４】
本実施形態の受信ＲＦコイル１６１は、図１および図３（ａ）に示すように変形可能な構造をしており、被検体１０３の撮像部位に巻き付けて使用することができる。また、使用していないときには図３（ｂ）に示すように蛇腹状に折りたたむことができ、容易に持ち運ぶことができる。受信ＲＦコイル１６１の構造については、後で詳細に説明する。
【００２５】
送信ＲＦコイル１５１および受信ＲＦコイル１６１にはそれぞれ磁気結合防止回路２１０，２２０が接続されている。磁気結合防止回路駆動装置１８０は、磁気結合防止回路２１０，２２０に接続され、送信ＲＦコイル１５１と受信ＲＦコイル１６１との間の磁気結合を防止する。
【００２６】
シーケンサ１４０は、傾斜磁場電源１３２、ＲＦ磁場発生器１５２、および、磁気結合防止回路駆動装置１８０に命令を送り、それぞれ動作させる。命令は、計算機１７０からの指示に従って送出する。また、シーケンサ１４０は、計算機１７０からの指示に従って、受信器１６２に検波の基準とする磁気共鳴周波数をセットする。具体的には、撮像時には、シーケンサ１４０からの命令に従って、傾斜磁場およびＲＦ磁場がそれぞれ所定のタイミングで傾斜磁場コイル１３１および送信ＲＦコイル１５１から被写体１０３に照射される。被写体１０３が発生する核磁気共鳴信号は、受信ＲＦコイル１６１によって検出され、受信器１６２で検波が行われる。
【００２７】
計算機１７０は、ＭＲＩ装置１００全体の動作の制御、各種の信号処理を行う。例えば、受信器１６２で検波された信号を不図示のＡ／Ｄ変換回路を介して受信し、画像再構成などの信号処理を行う。その結果は、表示装置１７１に表示される。検波された信号や測定条件は、必要に応じて、記憶媒体に保存される。また、計算機１７０は、予めプログラムされたタイミング、強度で各装置が動作するようシーケンサ１４０に命令を送出する。さらに、計算機１７０は、静磁場均一度を調整する必要があるときは、シーケンサ１４０を介して、シム電源１２２に命令を送り、シムコイル１２１によって静磁場均一度を調整させる。
【００２８】
［受信ＲＦコイル］
本実施形態の受信ＲＦコイル１６１について図３〜図７を用いて説明する。
【００２９】
図３（ａ）および図４に示すように、受信ＲＦコイル１６１は、第一および第二のコイル２０１，２０２を並べて配置した２チャンネルのアレイコイルである。受信ＲＦコイル１６１は、第一および第二のコイル２０１，２０２の他に、第一および第二のコイル２０１，２０２の一部を支持する棒状の３つの躯体２５１、２５２、２５３を有する。
【００３０】
第一および第二のコイル２０１、２０２はそれぞれ、高周波信号を受信する導体製のループ２１１，２１２と、ループ２１１，２１２に直列に挿入され、ループ２１１，２１２が受信した信号を検出する信号検出部２２１、２２２とを備えている。
【００３１】
３つの躯体２５１，２５２，２５３は、その短軸方向に、間隔をあけて並べて配置されている。ループ２１１，２１２にそれぞれ挿入されている信号検出部２２１，２２２は、躯体２５１等の短軸方向に、間隔をあけて並べて配置され、それぞれの信号検出部２２１，２２２は、躯体のいずれかによって支持されている。具体的には、コイル２０１の信号検出部２２１は、躯体２５１に支持され、コイル２０２の信号検出部２２２は、躯体２５３に支持されている。
【００３２】
また、ループ２１１，２１２は、変形可能である。また、信号検出部２２１，２２２は、躯体２５１，２５３に搭載されているため、躯体２５１，２５２，２５３の相互の空間には、ループ２１１，２１２のみが渡されており、信号検出部等の回路がない。よって、躯体２５１、２５２，２５３の間のループ２１１，２１２を変形させながら、図１に示すように、被検体１０３の撮像部位に沿わせて巻き付けるように密着して配置することができる。よって、被検体１０３から発せられる核磁気共鳴信号を被検体に密着した受信ＲＦコイル１６１により効率よく受信することができる。
【００３３】
ループ２１１，２１２は、変形可能であり、躯体間の空間にはループ２１１，２１２のみが配置され、回路が配置されていないため、躯体２５１，２５２，２５３の間隔を、図３（ｂ）に示すように、ループ２１１，２１２を屈曲するまで変形させながら小さくすることによって、躯体２５１，２５２を蛇腹を畳んだように隣接させることができる。これにより、ユーザは、受信ＲＦコイルを被検体１０３の撮像部位まで、図３（ｂ）のように畳んだ状態で持ち運ぶことができるため、可搬性がよい。また、受信ＲＦコイルをＲＦ畳んだ状態で収納することができるため、小さなスペースに収納可能であり、収納性も高い。
【００３４】
また、図３（ｂ）のように受信ＲＦコイル１６１が蛇腹のように畳まれることにより、第一のループ２１１および第二のループ２１２はそれぞれ、図３（ｃ）に示すように、隣り合う並行な二本線の形状となる。このためループに流れる電流２１１ａは、隣り合う並行な二本線を常に逆向きに流れ、それぞれの線から生じる磁場は、互いに打ち消し合って、ループ全体として磁場が生じなくなる。したがって本コイルは、収納時、他のコイルとの磁場干渉が生じなくなるため、収納位置に制限を受けなくなる。また他のコイルの性能を劣化させることもなく、結果として操作者は常に高画質な画像が取得できる。
【００３５】
ループ２１１，２１２は、絶縁体で被覆された、例えば同軸ケーブルを用いることができる。また、導体を絶縁体で被覆したものをループ２１１，２１２として用いてもよい。
【００３６】
棒状の躯体２５１，２５２、２５３は、自立できる程度の堅さを有したスポンジ素材で構成することができる。これにより、棒状の躯体２５１，２５２，２５３は、受信ＲＦコイル１６１を軽量化することができる。また、スポンジ素材によって躯体２５１，２５２，２５３を構成することにより、長軸方向に躯体２５１、２５２，２５３を湾曲させることもできるため、長軸方向についても被検体１０３の体に沿うように近接させて受信ＲＦコイルを配置できる。
【００３７】
さらに具体的に受信ＲＦコイル１６１について説明する。
【００３８】
受信ＲＦコイル１６１の第一の躯体２５１と第二の躯体２５２は、短軸方向に間隔をあけて配置され、第三の躯体２５３は、第二の躯体２５２をはさんで第一の躯体２５１とは反対側に配置され、第二の躯体２５２と躯体の短軸方向に間隔をあけて配置されている。ここでは、３つの躯体２５１，２５２，２５３は長軸が平行になるように配置されている。
【００３９】
第一のコイル２０１の第一のループ２１１に直列に挿入された第一の信号検出部２２１は、第一の躯体２５１上に搭載（固定）されている。また、第一のループ２１１の第一の信号検出部２２１と向かいあう部分２３１は、第二の躯体２５２上に搭載（固定）されている。
【００４０】
第二のコイル２０２の第二のループ２１２に直列に挿入された第二の信号検出部２２２は、第二の躯体２５２および第三の躯体２５３のいずれか一方（ここでは第三の躯体２５３）に搭載（固定）される。また、第二のループ２１２の第二の信号検出部２２２と向かいあう部分２３２は、第二の躯体２５２および第三の躯体２５３のうち、第二の信号検出部２２２が搭載されていない方（ここでは第二の躯体２５２）に搭載（固定）されている。
【００４１】
第一のループ２１１と第二のループ２１２は、互いの磁気結合を除去する構造または回路を備えている。例えば、図４のように第一のループと第二のループは、磁気結合を除去するために、第２の躯体２５２上で一部が所定の面積割合（例えば１０％）で重なり合うように配置されている。
【００４２】
また、磁気結合を除去する構造としては、第一のループ２１１と第二のループ２１２を第二の躯体２５２上で対向するように配置し、対向する位置のループ２１１，２１２にそれぞれインダクタを挿入してもよい。また、磁気結合を除去する構造としては、第二の躯体２５２上にキャパシタを配置し、第一のループ２１１と第二のループ２１２にこのキャパシタが共通に直列に挿入される回路構成としてもよい。インダクタを用いた場合、磁気結合除去の調整が容易になるため、製造作業が容易となる。また、キャパシタを用いた場合には、導体損失を抑えた磁気結合が可能となり感度が向上する。
【００４３】
なお、コイル間の磁気結合が弱い場合は、磁気結合を除去する構造が無くともよい。不要な回路を排除することでさらなる軽量化が可能となる。
【００４４】
次に、具体的なコイル２０１，２０２のそれぞれ回路構成の例を図５、図６を用いて説明する。第一のコイル２０１と第二のコイル２０２の回路構成は、同様であるので、ここでは第一のコイル２０１について説明する。
【００４５】
第一のループ２１１は、図５のように信号線２１１ａとシールド線２１１ｂを含む同軸ケーブルによって構成されている。同軸ケーブルは、図６（ａ）に示すとおり、ケーブルの長さ方向の中心位置でシールド線を断線し絶縁することにより、端子ａおよび端子ｂから見た回路は、図６（ｂ）のように同軸ケーブルのループ２１１の途中にキャパシタ２１１ｃが挿入されているのと等価な回路構成となる。
【００４６】
ループ２１１には、信号検出部２２１が直列に挿入されている。信号検出部２２１には、ループ２１１を構成する同軸ケーブルの両端のシールド線２１１ｂが接続されている。
【００４７】
信号検出部２２１は、信号検出回路３０１と磁気結合除去回路２２０と周波数調整回路（Ｃｆ）３０２を含み、それぞれのキャパシタＣｍ、Ｃｄ、Ｃｆが直列になるよう接続されている。
【００４８】
信号検出回路３０１は、第一のキャパシタ（Ｃｍ）と第一のインダクタ（Ｌｍ）と信号増幅器３１１とから構成され、第一のインダクタ（Ｌｍ）と信号増幅部は、直列に接続されて第一の直列回路を構成し、当該第一の直列回路は、第一のキャパシタ（Ｃｍ）と並列に接続されている。また、第一のコイル２０１は、信号増幅器３１１が接続された場合にノイズが最小となるような入力インピーダンスに第一のキャパシタ（Ｃｍ）の値を調整して調整されている。さらに第一のインダクタ（Ｌｍ）は、当該第一の直列回路と、第一のキャパシタ（Ｃｍ）とからなる並列回路が磁気共鳴周波数と同じ周波数になるよう調整され、他のコイルとの磁気結合を防止する。
【００４９】
磁気結合防止回路２２０は、第二のキャパシタ（Ｃｄ１）とダイオード（Ｄ）と第二のインダクタ（Ｌｄ）から構成され、第二のインダクタ（Ｌｄ）とダイオード（Ｄ）は、直列に接続されて第二の直列回路を構成し、当該第二の直列回路は、第二のキャパシタ（Ｃｄ１）と並列に接続されている。ダイオード（Ｄ）は、磁気結合防止回路駆動装置１８０に接続される。第二のキャパシタ（Ｃｄ１）と第二のインダクタ（Ｌｄ）とダイオード（Ｄ）からなる並列共振回路は、ダイオード（Ｄ）がＯＮの時、共振周波数を磁気共鳴周波数と同じ周波数に調整されている送信ＲＦコイルの共振周波数と合わせることで、送信ＲＦコイルと受信ＲＦコイルの磁気結合を防止する。
【００５０】
周波数調整回路３０２は、周波数調整キャパシタ（Ｃｆ）から構成される。周波数調整回路３０２は、信号増幅部３１１から見た第一のコイル２０１全体の回路が、核磁気共鳴信号の周波数で共振するように調整されている。これにより、第一のコイル２０１は、核磁気共鳴信号の受信が可能である。
【００５１】
また、従来の受信ＲＦコイルは、キャパシタをループ上に挿入していたため、回路保護のためにハードカバーが必要であったが、図５、図６のコイルは、キャパシタを同軸ケーブルの構造によって等価的に実現しているため、ハードカバーは不要である。そのため従来のコイルよりフレキシブルとなる。またループ２１１を、屈曲に強い柔軟性のある同軸ケーブルによって構成しているため、従来のコイル導体を保護していたスポンジを使用しなくても良いため、ＲＦ受信コイルの柔軟性が高い。
【００５２】
本実施形態の受信ＲＦコイルが、従来の受信ＲＦコイルよりも格納性、可搬性が高くなることを説明する。
【００５３】
本実施形態のＲＦコイルは、従来の多チャンネルＲＦコイルと比べて、スポンジや樹脂製筐体を用いないため、柔軟性が高い。また、信号検出部２２１は、図３（ａ）、図４に示したとおり、躯体２５１，２５３上に配置されるため、電気回路部品を保護する柔軟性の無い保護カバーはすべて躯体上に配置すればよく、躯体と躯体の間のループ２１１，２１２の柔軟性は高くなる。
【００５４】
これにより本実施形態の受信ＲＦコイルは、図３（ｂ）に示したとおり、略並行に配置された躯体２５１，２５２，２５３を隣接させるように折り畳むことが可能になるため、コンパクトになり格納性、可搬性が上がる。
【００５５】
また、本実施形態のＲＦコイルは、全てのコイルの信号検出部とループの一部とが、隣り合った躯体にそれぞれ支持され、ループは躯体間の距離によってループを半分に折り曲げ可能である。それにより、受信ＲＦコイルの躯体２５１，２５２，２５３の短軸方向に対して、山折り谷折りを交互に蛇腹状に折りたたむことが可能でなる。よって、元の広げた形状に戻すときも両端の躯体２５１，２５３を遠ざけるように引っ張るのみで、展開することができ、作業が容易で操作性が高い。
【００５６】
また、ループ２１１，２１２が、図３（ｃ）のように、半分に折り曲げられるように屈曲して重なって畳まれるため、隣り合う並行二本線となって磁場が発生しなくなるとともに、ループ２１１，２１２に他の受信ＲＦコイルの磁束が入りにくくなるため、近くに別のコイルがあっても干渉しにくい。よって、置き場所の選択肢が広がる。
【００５７】
また、躯体２５１，２５２，２５３として、自立できるわずかにフレキシブル性を持ったスポンジ素材を用いることができるため、力を加えることにより若干の変形ができるため被検体に沿って配置することが可能となり感度が向上する。
【００５８】
また、本実施形態の受信ＲＦコイルが簡単にコンパクトになるように引き寄せ機構を配置してもよい。例えば、ループ２１１，２１２の少なくとも一部を形状記憶効果を有する導体によって構成することができる。形状記憶効果を有する導体に、コンパクト化したときの形態（図３（ｂ）の形状）を記憶させておくことにより、躯体２５１，２５２，２５３を自由状態にすることで形状記憶効果によりコンパクト形状に戻るようにすることができる。
【００５９】
また、図７のように例えばすべての躯体を縫うように（第一および第二の躯体を貫通するように）配置された紐を引き寄せ機構として備えてもよい。図９に示すとおり紐７１を軸として躯体を動かすことで全ての躯体２５１、２５２，２５３が隣接し、ワンタッチでコンパクト形状にすることができる。これにより、コンパクト化する作業が容易となるため操作性が高くなる。
【００６０】
＜＜第一の変形例＞＞
上述の実施形態の受信ＲＦコイルでは３つの躯体２５１，２５２，２５３に２つのコイル２０１、２０２を支持する構成を示したが、図８のように２つの躯体２５１，２５２を用いて１つのコイル２０１を支持する構成でも良い。すなわち、第一の信号検出部２２１は、第一の躯体２５１上に搭載され、第一のループ２１１の第一の信号検出部２２１と向かいあう部分２３１は、第二の躯体２５２上に搭載された構成である。
【００６１】
図８の受信ＲＦコイルは、柔軟性と軽量性が得られ、コンパクトに折りたたむことができるため、収納性と可搬性が向上し、操作性も向上する。
【００６２】
＜＜第二の変形例＞＞
図９を用いて、第二の変形例の受信ＲＦコイルについて説明する。この受信ＲＦコイルは、二つの躯体２５１，２５２に２つのコイルを搭載している。
【００６３】
すなわち、第二の変形例の受信ＲＦコイルは、第一の変形例の図８の第一のコイル２０１に加え、図９のように、躯体２５１、２５２の長軸方向に第一コイル２０１と並ぶように配置された第三のコイル２０３を含む。第三のコイル２０３は、第一および第二の躯体２５１，２５２に搭載されている。
【００６４】
第三のコイル２０３は、高周波信号を受信する導体製の第三のループ２１３と、第三のループ２１３に直列に挿入され、第三のループ２１３が受信した信号を検出する第三の信号検出部２２３とを備えている。第三の信号検出部２２３は、第一の躯体２５１および第二の躯体２５２のうちの一方（ここでは、第一の躯体２５１）に搭載されている。第三のループ２１３の第三の信号検出部２２３と向かいあう部分２３３は、第一および第二の躯体２５１，２５２のうち第三の信号検出部２２３が搭載されていない方（ここでは、第二の躯体２５２）に搭載されている。
【００６５】
また、第一のループ２１１と第三のループ２１３は互いの磁気結合を除去するため、一部ループが重なるように配置する。
【００６６】
これによりチャンネル数が２になるため、チャンネル数が１である図８の受信ＲＦコイルよりも高い感度を得ることができる。
【００６７】
また、二つの躯体２５１，２５２に３つ以上のコイルを配置してもよい。これにより更に感度が上昇する。
【００６８】
＜＜第三の変形例＞＞
図１０を用いて第三の変形例の受信ＲＦコイルを説明する。この受信ＲＦコイルは、図１０に示すとおり、３つの躯体２５１，２５２，２５３に４つのコイル２０１〜２０４を配置している。第一および第二のコイル２０１，２０２は、図４と同様に配置されている。第三のコイル２０３は、図９と同様に配置されている。
【００６９】
第四のコイル２０４は、高周波信号を受信する導体製の第四のループ２１４と、第四のループ２１４に直列に挿入され、第四のループ２１３が受信した信号を検出する第三の信号検出部２２４とを備えている。第四の信号検出部２２４は、第二の躯体２５２および第三の躯体２５３のうちの一方（ここでは、第三の躯体２５３）に搭載されている。第四のループ２１４の第四の信号検出部２２４と向かいあう部分２３４は、第二および第三の躯体２５２，２５３のうち第四の信号検出部２２４が搭載されていない方（ここでは、第二の躯体２５２）に搭載されている。
【００７０】
また、第一のループ２１１と第三のループ２１３、および、第二のループ２１２と第四のループ２１４は互いの磁気結合を除去するため、一部ループが重なるように配置する。
【００７１】
図１０の受信ＲＦコイルは、ｃｈ数が４に増加するため、さらに高い感度を得ることができる。
【００７２】
また、４つの躯体に６つ以上のコイルを配置して、更に感度を上昇させることも可能である。
【００７３】
なお、上述の実施形態とその変形例では、ループを同軸ケーブルによって構成したが、本実施形態は、これに限定されない。例えば１芯のケーブルでもよい。これにより、ループを構成するケーブルの重量を、同軸ケーブルよりも抑えることができるためさらなる軽量化が可能となる。
【００７４】
＜＜第四の変形例＞＞
図１１を用いて第四の変形例の受信ＲＦコイルを説明する。上述の実施形態および変形例では、図４および図１０にしめしたように第二の躯体２５２上にある第一のループ２１１および第二のループ２１２は、一部がオーバラップする位置で固定されていたが、本実施形態は固定される構成に限定されない。
【００７５】
すなわち、図１１に示すように、磁気結合の影響が無視できる程度の環境下であれば躯体２５２内で第一のループ２１１および第二のループ２１２が移動可能に搭載され、第一のループ２１１および第二のループ２１２の距離が広がるように構成されてもよい。
【００７６】
第一および第二のコイルのループ２１１、２１２の重なり合う量を変化させることに伴って、第二の躯体２５２と第一の躯体２５１との距離、および、第二の躯体２５２と第三の躯体２５３との距離の少なくとも一方を変化させることができる。
【００７７】
第一のループ２１１および第二のループ２１２の距離が広がるように変化させた場合には、受信ＲＦコイル全体の幅が広くなるため感度領域が広げることができる。
【００７８】
なお、上述の実施形態およびその変形例において、両端に配置される躯体は、どこにも固定されていない構成であったが、片側の躯体が、被検体を乗せるテーブル１０２に接続されていてもよい。片側の躯体をテーブルに設置しておくことにより、例えば図１に示すように、一つの躯体を持ち上げて被検体上に配置できるため操作が容易となる。
【００７９】
テーブル１０２に躯体を固定する場合には、躯体とベッドとの間に中継の躯体を挿入してもよい。これにより中継の躯体を含めた受信ＲＦコイル全体の幅が広くなるため、受信ＲＦコイルの中心を任意の位置に配置できるようになる。
【００８０】
さらに、テーブルに接続された受信ＲＦコイルは、テーブルにあらかじめ収納空間を確保しておくことで、常にテーブルの上に配置できる構造としてもよい。これにより受信コイルの取り付け取り外し作業が不要になるため操作性が上がる。
【００８１】
また、図１のようにテーブル１０２のや磁石１１０の側面にポケットのような収納空間１０２ａを設け、その中に受信ＲＦコイルを収納する構成としてもよい。
【符号の説明】
【００８２】
７１…紐、１６１…受信ＲＦ（高周波）コイル、２０１、２０１，２０３，２０４…コイル、２１１，２１２，２１３，２１４…ループ、２２１、２２２，２２３，２２４…信号検出部、２５１，２５２，２５３…躯体
【図１】
2020124345.tif 000003
【図２】
2020124345.tif 000004
【図３】
2020124345.tif 000005
【図４】
2020124345.tif 000006
【図５】
2020124345.tif 000007
【図６】
2020124345.tif 000008
【図７】
2020124345.tif 000009
【図８】
2020124345.tif 000010
【図９】
2020124345.tif 000011
【図１０】
2020124345.tif 000012
【図１１】
2020124345.tif 000013